(57)【特許請求の範囲】
【請求項１】
同一のサービスエリア上に基地局による独立した周波数により構成される無線ゾーンを複数重ね合わせて配置することにより形成される複層無線ゾーンにて、前記基地局が無線チャネルを通して移動局と通信を行う際の接続条件を設定制御する無線回線制御装置と、前記移動局とを含んで構成された移動通信システムであって、
前記移動局は、
前記無線チャネルの通信品質が所定レベル以下に低下したか否かを判断する移動局判断手段と、
前記無線チャネルの通信品質が所定レベル以下に低下したと判断された場合に、無線チャネルの通信品質が所定レベル以下に低下したことを示す品質低下情報、及び当該無線チャネルで通信を行っていた周波数を識別する周波数識別情報を、所定の基準時間記憶する記憶手段と、
前記品質低下情報及び前記周波数識別情報を記憶してから前記基準時間内にユーザより発信要求があった場合に、当該品質低下情報及び当該周波数識別情報を発信要求信号に付加して前記無線回線制御装置へ通知する通知手段とを備え、
前記無線回線制御装置は、
前記移動局からの発信要求信号に付加された品質低下情報及び周波数識別情報に基づいて、当該移動局に対して割り当てる無線チャネルの選択順位を決定する選択順位決定手段を備えた、
ことを特徴とする移動通信システム。
【請求項２】
前記無線回線制御装置は、
移動局と基地局間の呼接続時に当該移動局に割り当てられた無線チャネルの通信品質低下により接続が困難と判断して接続を中止する場合、及び移動局と基地局間の通信に使用している無線チャネルの通信品質低下により当該通信の継続が困難と判断して前記移動局との通信経路を切断する場合に、無線チャネルの通信品質が所定レベル以下に低下したことを示す品質低下情報、及び当該無線チャネルで通信を行っていた周波数を識別する周波数識別情報を当該移動局に通知する情報通知手段をさらに備え、
前記移動局の移動局判断手段は、前記情報通知手段により通知された品質低下情報及び周波数識別情報に基づいて、当該無線チャネルの通信品質が所定レベル以下に低下したか否かを判断する、
ことを特徴とする請求項１記載の移動通信システム。
【請求項３】
前記移動局は、
呼接続時に自局に割り当てられた無線チャネルの通信品質低下により基地局との接続が困難と判断した場合に当該接続を中止し、基地局との通信に使用している無線チャネルの通信品質低下により当該通信の継続が困難と判断した場合に基地局との通信経路を切断するよう制御する通信制御手段をさらに備えたことを特徴とする請求項１記載の移動通信システム。
【請求項４】
前記無線回線制御装置は、前記移動局が前記品質低下情報及び前記周波数識別情報を記憶するべき所定の基準時間を当該移動局に通知する基準時間通知手段をさらに備え、
前記移動局の記憶手段は、前記無線回線制御装置から通知された所定の基準時間だけ、前記品質低下情報及び前記周波数識別情報を記憶する、
ことを特徴とする請求項１〜３の何れか１項に記載の移動通信システム。
【請求項５】
同一のサービスエリア上に基地局による独立した周波数により構成される無線ゾーンを複数重ね合わせて配置することにより形成される複層無線ゾーンにて、前記基地局が無線チャネルを通して移動局と通信を行う際の接続条件を設定制御する無線回線制御装置と、前記移動局とを含んで構成された移動通信システムであって、
前記無線回線制御装置は、
移動局と基地局間の通信に使用している無線チャネルの通信品質低下により当該通信の継続が困難と判断して当該移動局との通信経路を切断する際に、当該移動局を識別するための移動局識別番号、無線チャネルの通信品質が所定レベル以下に低下したことを示す品質低下情報、及び当該無線チャネルで通信を行っていた周波数を識別する周波数識別情報を、所定の基準時間記憶する記憶手段と、
前記品質低下情報及び前記周波数識別情報を記憶してから前記基準時間内に、移動局から発信要求を受け付けた場合に、当該移動局が、前記記憶手段に記憶された移動局識別番号に相当する移動局と同一か否かを判定する同一判定手段と、当該移動局が前記記憶された移動局識別番号に相当する移動局と同一である場合に、前記記憶された品質低下情報及び周波数識別情報に基づいて、当該移動局に対して割り当てる無線チャネルの選択順位を決定する選択順位決定手段とを備えた、
ことを特徴とする移動通信システム。
【請求項６】
前記選択順位決定手段は、
前記品質低下情報により無線チャネルの通信品質低下が示されている場合、前記周波数識別情報より、通信を行っていた周波数を特定し、
前記無線チャネルの選択順位を決定する際に、複層無線ゾーンを構成する複数の周波数のうち当該通信を行っていた周波数に収容される無線チャネルの選択順位を下げる、
ことを特徴とする請求項１〜５の何れか１項に記載の移動通信システム。
【請求項７】
同一のサービスエリア上に基地局による独立した周波数により構成される無線ゾーンを複数重ね合わせて配置することにより形成される複層無線ゾーンにて、前記基地局が無線チャネルを通して移動局と通信を行う際の接続条件を設定制御する無線回線制御装置と前記移動局間で実行される回線接続制御方法であって、
前記移動局が、前記無線チャネルの通信品質が所定レベル以下に低下したか否かを判断し、
前記移動局が、前記無線チャネルの通信品質が所定レベル以下に低下したと判断された場合に、無線チャネルの通信品質が所定レベル以下に低下したことを示す品質低下情報、及び当該無線チャネルで通信を行っていた周波数を識別する周波数識別情報を、所定の基準時間記憶し、
前記品質低下情報及び前記周波数識別情報を記憶してから前記基準時間内にユーザより発信要求があった場合に、前記移動局が、当該品質低下情報及び当該周波数識別情報を発信要求信号に付加して前記無線回線制御装置へ通知し、
前記無線回線制御装置が、前記移動局からの発信要求信号に付加された品質低下情報及び周波数識別情報に基づいて、当該移動局に対して割り当てる無線チャネルの選択順位を決定する、
ことを特徴とする回線接続制御方法。
【請求項８】
前記無線回線制御装置は、
移動局と基地局間の呼接続時に当該移動局に割り当てられた無線チャネルの通信品質低下により接続が困難と判断して接続を中止する場合、及び移動局と基地局間の通信に使用している無線チャネルの通信品質低下により当該通信の継続が困難と判断して前記移動局との通信経路を切断する場合に、無線チャネルの通信品質が所定レベル以下に低下したことを示す品質低下情報、及び当該無線チャネルで通信を行っていた周波数を識別する周波数識別情報を当該移動局に通知し、前記移動局は、前記無線回線制御装置から通知された品質低下情報及び周波数識別情報に基づいて、当該無線チャネルの通信品質が所定レベル以下に低下したか否かを判断する、
ことを特徴とする請求項７記載の回線接続制御方法。
【請求項９】
前記移動局は、
呼接続時に自局に割り当てられた無線チャネルの通信品質低下により基地局との接続が困難と判断した場合に当該接続を中止し、
基地局との通信に使用している無線チャネルの通信品質低下により当該通信の継続が困難と判断した場合に基地局との通信経路を切断する、
ことを特徴とする請求項７記載の回線接続制御方法。
【請求項１０】
前記無線回線制御装置は、前記移動局が前記品質低下情報及び前記周波数識別情報を記憶するべき所定の基準時間を当該移動局に通知し、前記移動局は、前記無線回線制御装置から通知された所定の基準時間だけ、前記品質低下情報及び前記周波数識別情報を記憶する、
ことを特徴とする請求項７〜９の何れか１項に記載の回線接続制御方法。
【請求項１１】
同一のサービスエリア上に基地局による独立した周波数により構成される無線ゾーンを複数重ね合わせて配置することにより形成される複層無線ゾーンにて、前記基地局が無線チャネルを通して移動局と通信を行う際の接続条件を設定制御する無線回線制御装置と前記移動局間で実行される回線接続制御方法であって、
前記無線回線制御装置が、移動局と基地局間の通信に使用している無線チャネルの通信品質低下により当該通信の継続が困難と判断して当該移動局との通信経路を切断する際に、当該移動局を識別するための移動局識別番号、無線チャネルの通信品質が所定レベル以下に低下したことを示す品質低下情報、及び当該無線チャネルで通信を行っていた周波数を識別する周波数識別情報を、所定の基準時間記憶し、
前記無線回線制御装置が、前記品質低下情報及び前記周波数識別情報を記憶してから前記基準時間内に、移動局から発信要求を受け付けた場合に、当該移動局が、前記記憶手段に記憶された移動局識別番号に相当する移動局と同一か否かを判定し、
前記無線回線制御装置が、当該移動局が前記記憶された移動局識別番号に相当する移動局と同一である場合に、前記記憶された品質低下情報及び周波数識別情報に基づいて、当該移動局に対して割り当てる無線チャネルの選択順位を決定する、
ことを特徴とする回線接続制御方法。
【請求項１２】
前記無線回線制御装置は、
前記無線チャネルの選択順位を決定する際に、前記品質低下情報により無線チャネルの通信品質低下が示されている場合、前記周波数識別情報より、通信を行っていた周波数を特定し、複層無線ゾーンを構成する複数の周波数のうち当該通信を行っていた周波数に収容される無線チャネルの選択順位を下げる、
ことを特徴とする請求項７〜１１の何れか１項に記載の回線接続制御方法。
【請求項１３】
同一のサービスエリア上に基地局による独立した周波数により構成される無線ゾーンを複数重ね合わせて配置することにより形成される複層無線ゾーンにて、無線チャネルを通して前記基地局と通信を行う移動局であって、
前記無線チャネルの通信品質が所定レベル以下に低下したか否かを判断する移動局判断手段と、
前記無線チャネルの通信品質が所定レベル以下に低下したと判断された場合に、無線チャネルの通信品質が所定レベル以下に低下したことを示す品質低下情報、及び当該無線チャネルで通信を行っていた周波数を識別する周波数識別情報を、所定の基準時間記憶する記憶手段と、
前記品質低下情報及び前記周波数識別情報を記憶してから前記基準時間内にユーザより発信要求があった場合に、当該品質低下情報及び当該周波数識別情報を発信要求信号に付加して、当該移動局に対して割り当てる無線チャネルの選択順位を決定する無線回線制御装置へ前記付加された発信要求信号を通知する通知手段と、
を備えた移動局。
【請求項１４】
前記移動局判断手段は、前記無線回線制御装置から通知された品質低下情報及び周波数識別情報に基づいて、当該無線チャネルの通信品質が所定レベル以下に低下したか否かを判断することを特徴とする請求項１３記載の移動局。
【請求項１５】
呼接続時に自局に割り当てられた無線チャネルの通信品質低下により基地局との接続が困難と判断した場合に当該接続を中止し、基地局との通信に使用している無線チャネルの通信品質低下により当該通信の継続が困難と判断した場合に基地局との通信経路を切断するよう制御する通信制御手段をさらに備えたことを特徴とする請求項１３記載の移動局。
【請求項１６】
前記記憶手段は、前記無線回線制御装置から通知された所定の基準時間だけ、前記品質低下情報及び前記周波数識別情報を記憶することを特徴とする請求項１３〜１５の何れか１項に記載の移動局。
【請求項１７】
同一のサービスエリア上に基地局による独立した周波数により構成される無線ゾーンを複数重ね合わせて配置することにより形成される複層無線ゾーンにて、前記基地局が無線チャネルを通して移動局と通信を行う際の接続条件を設定制御する無線回線制御装置であって、
前記移動局からの発信要求信号に付加された品質低下情報及び周波数識別情報に基づいて、当該移動局に対して割り当てる無線チャネルの選択順位を決定する選択順位決定手段を備えた無線回線制御装置。
【請求項１８】
移動局と基地局間の呼接続時に当該移動局に割り当てられた無線チャネルの通信品質低下により接続が困難と判断して接続を中止する場合、及び移動局と基地局間の通信に使用している無線チャネルの通信品質低下により当該通信の継続が困難と判断して前記移動局との通信経路を切断する場合に、無線チャネルの通信品質が所定レベル以下に低下したことを示す品質低下情報、及び当該無線チャネルで通信を行っていた周波数を識別する周波数識別情報を当該移動局に通知する情報通知手段をさらに備えたことを特徴とする請求項１７記載の無線回線制御装置。
【請求項１９】
前記移動局が前記品質低下情報及び前記周波数識別情報を記憶するべき所定の基準時間を当該移動局に通知する基準時間通知手段をさらに備えたことを特徴とする請求項１７記載の無線回線制御装置。
【請求項２０】
同一のサービスエリア上に基地局による独立した周波数により構成される無線ゾーンを複数重ね合わせて配置することにより形成される複層無線ゾーンにて、前記基地局が無線チャネルを通して移動局と通信を行う際の接続条件を設定制御する無線回線制御装置であって、
移動局と基地局間の通信に使用している無線チャネルの通信品質低下により当該通信の継続が困難と判断して当該移動局との通信経路を切断する際に、当該移動局を識別するための移動局識別番号、無線チャネルの通信品質が所定レベル以下に低下したことを示す品質低下情報、及び当該無線チャネルで通信を行っていた周波数を識別する周波数識別情報を、所定の基準時間記憶する記憶手段と、
前記品質低下情報及び前記周波数識別情報を記憶してから前記基準時間内に、移動局から発信要求を受け付けた場合に、当該移動局が、前記記憶手段に記憶された移動局識別番号に相当する移動局と同一か否かを判定する同一判定手段と、当該移動局が、記憶された移動局識別番号に相当する移動局と同一である場合に、前記記憶された品質低下情報及び周波数識別情報に基づいて、当該移動局に対して割り当てる無線チャネルの選択順位を決定する選択順位決定手段と、
を備えた無線回線制御装置。
【請求項２１】
前記選択順位決定手段は、前記品質低下情報により無線チャネルの通信品質低下が示されている場合、前記周波数識別情報より、通信を行っていた周波数を特定し、前記無線チャネルの選択順位を決定する際に、複層無線ゾーンを構成する複数の周波数のうち当該通信を行っていた周波数に収容される無線チャネルの選択順位を下げることを特徴とする請求項１７〜２０の何れか１項に記載の無線回線制御装置。
【発明の詳細な説明】
【０００１】
【発明の属する技術分野】
本発明は、移動通信システム、回線接続制御方法、無線回線制御装置及び移動局に係り、より詳しくは、同一のサービスエリア上に基地局による独立した周波数により構成される無線ゾーンを複数重ね合わせて配置することにより形成される複層無線ゾーンにて、基地局が無線チャネルを通して移動局と通信を行う際の接続条件を設定制御する無線回線制御装置と移動局とを含んで構成された移動通信システム、当該システムにて実行される回線接続制御方法、当該システムを構成する無線回線制御装置及び移動局に関する。なお、本発明において「周波数」には、特定の１つの周波数と、所定の帯域幅を持つ周波数帯域との両方の概念を含むものとする。
【０００２】
【従来の技術】
同一のサービスエリア上に、基地局による独立した周波数により構成される無線ゾーンを複数重ね合わせて配置することにより複層無線ゾーンを形成する技術が知られている。この複層無線ゾーンにおいて基地局が無線チャネルを通して多数の移動局と通信を行う際の接続条件を設定し基地局の動作を制御する無線回線制御装置を備えた移動通信システムが導入されており、この移動通信システムの代表的な例として、現在日本で商用サービスされているデジタル自動車電話方式（Ｐｅｒｓｏｎａｌ  Ｄｉｇｉｔａｌ  Ｃｅｌｌｕｌａｒ：ＰＤＣ）におけるオーバーレイエリア制御方式がある。
【０００３】
このオーバーレイエリア制御方式では、移動局と基地局とが接続時又は通信中に、移動局又は網において干渉等による通信品質の低下が検出された場合及びスケルチによる通信の切断処理が行われた場合には、異なる無線チャネルヘのチャネル切替や、網側での通信経路を保持したまま移動局が再発信を行うことにより、再度無線チャネルを割り当て直して通信を継続するような救済処理が考えられている。
【０００４】
【発明が解決しようとする課題】
しかしながら、従来のような方法では、干渉等の事象により無線チャネルの接続が解放されてしまった後、当該事象が発生した同一地点において再度、呼を接続することになる。また、同一の移動局に対する無線チャネルの選択アルゴリズムが一定であれば、同一帯域の無線チャネルを再度割り当てる可能性が高い。このとき同一帯域の無線チャネルを割り当てた場合には、同一の原因による干渉が再度発生し、同じ移動局の呼が連続して呼損となる可能性がある。このように特定のユーザに対して連続した呼損が起こることは、サービス品質の低下に結びつくという問題がある。
【０００５】
本発明は、上記課題を解決するために成されたものであり、同一のサービスエリア上に、基地局による独立した周波数により構成される無線ゾーンを複数重ね合わせて配置することにより形成される複層無線ゾーンにおいて、移動局と基地局との接続時や通信中に干渉等の理由により通信に使用している無線チャネルの解放処理が行われた場合に、特定のユーザが連続して呼損となる確率を低減してサービス品質の向上を図ることができる移動通信システム、回線接続制御方法、無線回線制御装置及び移動局を提供することを目的とする。
【０００６】
【課題を解決するための手段】
上記目的を達成するために、本発明に係る移動通信システムは、請求項１に記載したように、同一のサービスエリア上に基地局による独立した周波数により構成される無線ゾーンを複数重ね合わせて配置することにより形成される複層無線ゾーンにて、前記基地局が無線チャネルを通して移動局と通信を行う際の接続条件を設定制御する無線回線制御装置と、前記移動局とを含んで構成された移動通信システムであって、前記移動局は、前記無線チャネルの通信品質が所定レベル以下に低下したか否かを判断する移動局判断手段と、前記無線チャネルの通信品質が所定レベル以下に低下したと判断された場合に、無線チャネルの通信品質が所定レベル以下に低下したことを示す品質低下情報、及び当該無線チャネルで通信を行っていた周波数を識別する周波数識別情報を、所定の基準時間記憶する記憶手段と、前記品質低下情報及び前記周波数識別情報を記憶してから前記基準時間内にユーザより発信要求があった場合に、当該品質低下情報及び当該周波数識別情報を発信要求信号に付加して前記無線回線制御装置へ通知する通知手段とを備え、前記無線回線制御装置は、前記移動局からの発信要求信号に付加された品質低下情報及び周波数識別情報に基づいて、当該移動局に対して割り当てる無線チャネルの選択順位を決定する選択順位決定手段を備えたことを特徴とする。
【０００７】
また、本発明は回線接続制御方法としても記載することができる。本発明に係る回線接続制御方法は、請求項７に記載したように、同一のサービスエリア上に基地局による独立した周波数により構成される無線ゾーンを複数重ね合わせて配置することにより形成される複層無線ゾーンにて、前記基地局が無線チャネルを通して移動局と通信を行う際の接続条件を設定制御する無線回線制御装置と前記移動局間で実行される回線接続制御方法であって、前記移動局が、前記無線チャネルの通信品質が所定レベル以下に低下したか否かを判断し、前記移動局が、前記無線チャネルの通信品質が所定レベル以下に低下したと判断された場合に、無線チャネルの通信品質が所定レベル以下に低下したことを示す品質低下情報、及び当該無線チャネルで通信を行っていた周波数を識別する周波数識別情報を、所定の基準時間記憶し、前記品質低下情報及び前記周波数識別情報を記憶してから前記基準時間内にユーザより発信要求があった場合に、前記移動局が、当該品質低下情報及び当該周波数識別情報を発信要求信号に付加して前記無線回線制御装置へ通知し、前記無線回線制御装置が、前記移動局からの発信要求信号に付加された品質低下情報及び周波数識別情報に基づいて、当該移動局に対して割り当てる無線チャネルの選択順位を決定することを特徴とする。
【０００８】
上記発明の作用・効果を移動通信システムの発明により説明する。上記移動通信システムでは、移動局において移動局判断手段が、無線チャネルの通信品質が所定レベル以下に低下したか否かを判断し、無線チャネルの通信品質が所定レベル以下に低下したと判断された場合に、記憶手段が、無線チャネルの通信品質が所定レベル以下に低下したことを示す品質低下情報、及び当該無線チャネルで通信を行っていた周波数を識別する周波数識別情報を、所定の基準時間記憶する。ここで、品質低下情報及び周波数識別情報を記憶してから上記基準時間内にユーザより発信要求があった場合、通知手段は、品質低下情報及び周波数識別情報を発信要求信号に付加して無線回線制御装置へ通知する。
【０００９】
そして、この通知を受けた無線回線制御装置では、選択順位決定手段が、移動局からの発信要求信号に付加された品質低下情報及び周波数識別情報に基づいて、当該移動局に対して割り当てる無線チャネルの選択順位を決定する。即ち、無線回線制御装置では、品質低下情報及び周波数識別情報より、通信を行っていた周波数を特定し、当該周波数に収容される無線チャネルの選択順位を下げる等の制御が可能となる。
【００１０】
このように品質低下情報及び周波数識別情報に基づく無線チャネルの選択順位決定を行うことで、複層無線ゾーンにおいて、移動局と基地局が接続時や通信中に、干渉等の通信品質の低下を理由として通信に使用している無線チャネルの解放処理が行われた後、一定時間内に当該移動局において再発呼が行われた場合に、当該移動局に対して割り当てる無線チャネルを選択する際、解放された無線チャネルが収容されている周波数の優先順位を下げる等の制御により、通信品質の低下した無線チャネルを再び割り当てる可能性が低くなり、当該移動局が連続して呼損となる確率を小さくすることが可能となる。これにより、特定ユーザが連続して呼損となる確率を低減することができ、サービス品質の向上を図ることができる。
【００１１】
上記において移動局の移動局判断手段は、無線回線制御装置から通知された品質低下情報及び周波数識別情報に基づいて、無線チャネルの通信品質が所定レベル以下に低下したか否かを判断する態様を採用してもよい。
【００１２】
即ち、請求項２に記載したように、本発明に係る移動通信システムでは、無線回線制御装置が、移動局と基地局間の呼接続時に当該移動局に割り当てられた無線チャネルの通信品質低下により接続が困難と判断して接続を中止する場合、及び移動局と基地局間の通信に使用している無線チャネルの通信品質低下により当該通信の継続が困難と判断して前記移動局との通信経路を切断する場合に、無線チャネルの通信品質が所定レベル以下に低下したことを示す品質低下情報、及び当該無線チャネルで通信を行っていた周波数を識別する周波数識別情報を当該移動局に通知する情報通知手段をさらに備え、移動局の移動局判断手段は、前記情報通知手段により通知された品質低下情報及び周波数識別情報に基づいて、当該無線チャネルの通信品質が所定レベル以下に低下したか否かを判断する構成としてもよい。
【００１３】
また、請求項８に記載したように、本発明に係る回線接続制御方法では、無線回線制御装置が、移動局と基地局間の呼接続時に当該移動局に割り当てられた無線チャネルの通信品質低下により接続が困難と判断して接続を中止する場合、及び移動局と基地局間の通信に使用している無線チャネルの通信品質低下により当該通信の継続が困難と判断して前記移動局との通信経路を切断する場合に、無線チャネルの通信品質が所定レベル以下に低下したことを示す品質低下情報、及び当該無線チャネルで通信を行っていた周波数を識別する周波数識別情報を当該移動局に通知し、移動局が、前記無線回線制御装置から通知された品質低下情報及び周波数識別情報に基づいて、当該無線チャネルの通信品質が所定レベル以下に低下したか否かを判断してもよい。
【００１４】
本発明に係る移動通信システムでは、請求項３に記載したように、移動局が、呼接続時に自局に割り当てられた無線チャネルの通信品質低下により基地局との接続が困難と判断した場合に当該接続を中止し、基地局との通信に使用している無線チャネルの通信品質低下により当該通信の継続が困難と判断した場合に基地局との通信経路を切断するよう制御する通信制御手段をさらに備えた構成とすることが望ましい。また、本発明に係る回線接続制御方法では、請求項９に記載したように、移動局が、呼接続時に自局に割り当てられた無線チャネルの通信品質低下により基地局との接続が困難と判断した場合に当該接続を中止し、基地局との通信に使用している無線チャネルの通信品質低下により当該通信の継続が困難と判断した場合に基地局との通信経路を切断することが望ましい。
【００１５】
これにより、移動局において、通信制御手段により、呼接続時に自局に割り当てられた無線チャネルの通信品質低下により基地局との接続が困難と判断した場合には当該接続が中止され、基地局との通信に使用している無線チャネルの通信品質低下により当該通信の継続が困難と判断した場合に基地局との通信経路が切断されることとなり、移動局で自律的な制御が実現される。
【００１６】
本発明に係る移動通信システムでは、請求項４に記載したように、無線回線制御装置が、前記移動局が前記品質低下情報及び前記周波数識別情報を記憶するべき所定の基準時間を当該移動局に通知する基準時間通知手段をさらに備え、移動局の記憶手段が、前記無線回線制御装置から通知された所定の基準時間だけ、前記品質低下情報及び前記周波数識別情報を記憶する構成としてもよい。また、本発明に係る回線接続制御方法では、請求項１０に記載したように、無線回線制御装置が、前記移動局が前記品質低下情報及び前記周波数識別情報を記憶するべき所定の基準時間を当該移動局に通知し、前記移動局が、前記無線回線制御装置から通知された所定の基準時間だけ、前記品質低下情報及び前記周波数識別情報を記憶するようにしてもよい。
【００１７】
この場合、無線回線制御装置からの指示により、移動局が品質低下情報及び周波数識別情報を記憶するべき基準時間を調整することが可能となる。
【００１８】
上記目的を達成するために、本発明に係る移動通信システムは、請求項５に記載したように、同一のサービスエリア上に基地局による独立した周波数により構成される無線ゾーンを複数重ね合わせて配置することにより形成される複層無線ゾーンにて、前記基地局が無線チャネルを通して移動局と通信を行う際の接続条件を設定制御する無線回線制御装置と、前記移動局とを含んで構成された移動通信システムであって、前記無線回線制御装置は、移動局と基地局間の通信に使用している無線チャネルの通信品質低下により当該通信の継続が困難と判断して当該移動局との通信経路を切断する際に、当該移動局を識別するための移動局識別番号、無線チャネルの通信品質が所定レベル以下に低下したことを示す品質低下情報、及び当該無線チャネルで通信を行っていた周波数を識別する周波数識別情報を、所定の基準時間記憶する記憶手段と、前記品質低下情報及び前記周波数識別情報を記憶してから前記基準時間内に、移動局から発信要求を受け付けた場合に、当該移動局が前記記憶手段に記憶された移動局識別番号に相当する移動局と同一か否かを判定する同一判定手段と、当該移動局が前記記憶された移動局識別番号に相当する移動局と同一である場合に、前記記憶された品質低下情報及び周波数識別情報に基づいて、当該移動局に対して割り当てる無線チャネルの選択順位を決定する選択順位決定手段とを備えたことを特徴とする。
【００１９】
また、本発明は回線接続制御方法としても記載することができる。本発明に係る回線接続制御方法は、請求項１１に記載したように、同一のサービスエリア上に基地局による独立した周波数により構成される無線ゾーンを複数重ね合わせて配置することにより形成される複層無線ゾーンにて、前記基地局が無線チャネルを通して移動局と通信を行う際の接続条件を設定制御する無線回線制御装置と前記移動局間で実行される回線接続制御方法であって、前記無線回線制御装置が、移動局と基地局間の通信に使用している無線チャネルの通信品質低下により当該通信の継続が困難と判断して当該移動局との通信経路を切断する際に、当該移動局を識別するための移動局識別番号、無線チャネルの通信品質が所定レベル以下に低下したことを示す品質低下情報、及び当該無線チャネルで通信を行っていた周波数を識別する周波数識別情報を、所定の基準時間記憶し、前記無線回線制御装置が、前記品質低下情報及び前記周波数識別情報を記憶してから前記基準時間内に、移動局から発信要求を受け付けた場合に、当該移動局が前記記憶手段に記憶された移動局識別番号に相当する移動局と同一か否かを判定し、当該移動局が前記記憶された移動局識別番号に相当する移動局と同一である場合、前記無線回線制御装置が、前記記憶された品質低下情報及び周波数識別情報に基づいて、当該移動局に対して割り当てる無線チャネルの選択順位を決定することを特徴とする。
【００２０】
上記発明の作用・効果を移動通信システムの発明により説明する。上記移動通信システムでは、無線回線制御装置において、記憶手段が、移動局と基地局間の通信に使用している無線チャネルの通信品質低下により当該通信の継続が困難と判断して当該移動局との通信経路を切断する際に、当該移動局を識別するための移動局識別番号、無線チャネルの通信品質が所定レベル以下に低下したことを示す品質低下情報、及び当該無線チャネルで通信を行っていた周波数を識別する周波数識別情報を、所定の基準時間記憶する。ここで、品質低下情報及び周波数識別情報を記憶してから基準時間内に、移動局から発信要求を受け付けた場合、同一判定手段は、当該移動局が記憶手段に記憶された移動局識別番号に相当する移動局と同一か否かを判定する。
【００２１】
そして、当該移動局が記憶された移動局識別番号に相当する移動局と同一であれば、選択順位決定手段が、記憶された品質低下情報及び周波数識別情報に基づいて、当該移動局に対して割り当てる無線チャネルの選択順位を決定する。即ち、無線回線制御装置は、発信要求した移動局が直前に無線チャネルの通信品質低下により通信継続が困難と判断した移動局と同一か否かを判定し、同一と判定した場合に、品質低下情報及び周波数識別情報より、通信を行っていた周波数を特定して、当該周波数に収容される無線チャネルの選択順位を下げる等の制御が可能となる。
【００２２】
このように、無線回線制御装置において、発信要求した移動局が、直前に無線チャネルの通信品質低下により通信継続が困難と判断した移動局と同一か否かを判定した上で、同一と判定した場合に、品質低下情報及び周波数識別情報に基づく無線チャネルの選択順位決定を行うことで、複層無線ゾーンにおいて、移動局と基地局が接続時や通信中に、干渉等の通信品質の低下を理由として通信に使用している無線チャネルの解放処理が行われた後、所定の基準時間内に当該移動局において再発呼が行われた場合に、当該移動局に対して割り当てる無線チャネルを選択する際、解放された無線チャネルが収容されている周波数の優先順位を下げる等の制御により、通信品質の低下した無線チャネルを再び割り当てる可能性が低くなり、当該移動局が連続して呼損となる確率を小さくすることが可能となる。これにより、特定ユーザが連続して呼損となる確率を低減することができ、サービス品質の向上を図ることができる。
【００２３】
また、同一判定手段による同一判定をした上で無線チャネルの選択順位決定を行うため、無線ゾーンに多数の移動局が在圏しているケースでも、無線チャネルの通信品質低下により通信継続が困難と判断した移動局を的確に識別し、当該移動局に当該通信品質低下した無線チャネルを再度割り振ることを確実に回避することができる。
【００２４】
上述した無線回線制御装置又は移動局における選択順位の決定については、より具体的には、請求項６、１２のような態様を採用することができる。即ち、本発明に係る移動通信システムでは、請求項６に記載したように、選択順位決定手段は、前記品質低下情報により無線チャネルの通信品質低下が示されている場合、前記周波数識別情報より、通信を行っていた周波数を特定し、前記無線チャネルの選択順位を決定する際に、複層無線ゾーンを構成する複数の周波数のうち当該通信を行っていた周波数に収容される無線チャネルの選択順位を下げる構成とすることが望ましい。また、本発明に係る回線接続制御方法では、請求項１２に記載したように、無線回線制御装置は、無線チャネルの選択順位を決定する際に、前記品質低下情報により無線チャネルの通信品質低下が示されている場合、前記周波数識別情報より、通信を行っていた周波数を特定し、複層無線ゾーンを構成する複数の周波数のうち当該通信を行っていた周波数に収容される無線チャネルの選択順位を下げることが望ましい。
【００２５】
このように無線チャネルの選択順位を決定する際に、品質低下情報により無線チャネルの通信品質低下が示されていれば、当該品質低下情報とともに記憶された周波数識別情報より、通信を行っていた周波数を特定する。この周波数に収容される無線チャネルは、その時点では、通信品質が低下している確率が高いといえる。そこで、複層無線ゾーンを構成する複数の周波数のうち、当該通信を行っていた周波数に収容される無線チャネルの選択順位を下げることにより、当該周波数に収容される無線チャネルが選択される確率が下がるので、通信品質の低下した無線チャネルを再び割り当てる可能性が低くなり、当該移動局が連続して呼損となる確率を小さくして、サービス品質の向上を図ることができる。
【００２６】
ところで、本発明は、移動通信システムを構成する移動局、無線回線制御装置のそれぞれの発明として、以下のように記述することができ、同様の効果を奏することができる。
【００２７】
即ち、本発明に係る移動局は、請求項１３に記載したように、同一のサービスエリア上に基地局による独立した周波数により構成される無線ゾーンを複数重ね合わせて配置することにより形成される複層無線ゾーンにて、無線チャネルを通して前記基地局と通信を行う移動局であって、前記無線チャネルの通信品質が所定レベル以下に低下したか否かを判断する移動局判断手段と、前記無線チャネルの通信品質が所定レベル以下に低下したと判断された場合に、無線チャネルの通信品質が所定レベル以下に低下したことを示す品質低下情報、及び当該無線チャネルで通信を行っていた周波数を識別する周波数識別情報を、所定の基準時間記憶する記憶手段と、前記品質低下情報及び前記周波数識別情報を記憶してから前記基準時間内にユーザより発信要求があった場合に、当該品質低下情報及び当該周波数識別情報を発信要求信号に付加して、当該移動局に対して割り当てる無線チャネルの選択順位を決定する無線回線制御装置へ前記付加された発信要求信号を通知する通知手段と、を備えたことを特徴とする。
【００２８】
このとき前記移動局判断手段は、請求項１４に記載したように、前記無線回線制御装置から通知された品質低下情報及び周波数識別情報に基づいて、当該無線チャネルの通信品質が所定レベル以下に低下したか否かを判断する構成とすることが望ましい。
【００２９】
また、請求項１５に記載したように、移動局が、呼接続時に自局に割り当てられた無線チャネルの通信品質低下により基地局との接続が困難と判断した場合に当該接続を中止し、基地局との通信に使用している無線チャネルの通信品質低下により当該通信の継続が困難と判断した場合に基地局との通信経路を切断するよう制御する通信制御手段をさらに備えた構成とすることが望ましい。
【００３０】
また、前記記憶手段は、請求項１６に記載したように、前記無線回線制御装置から通知された所定の基準時間だけ、前記品質低下情報及び前記周波数識別情報を記憶する構成とすることが望ましい。
【００３１】
本発明に係る無線回線制御装置は、請求項１７に記載したように、同一のサービスエリア上に基地局による独立した周波数により構成される無線ゾーンを複数重ね合わせて配置することにより形成される複層無線ゾーンにて、前記基地局が無線チャネルを通して移動局と通信を行う際の接続条件を設定制御する無線回線制御装置であって、前記移動局からの発信要求信号に付加された品質低下情報及び周波数識別情報に基づいて、当該移動局に対して割り当てる無線チャネルの選択順位を決定する選択順位決定手段を備えたことを特徴とする。
【００３２】
このとき、請求項１８に記載したように、無線回線制御装置が、移動局と基地局間の呼接続時に当該移動局に割り当てられた無線チャネルの通信品質低下により接続が困難と判断して接続を中止する場合、及び移動局と基地局間の通信に使用している無線チャネルの通信品質低下により当該通信の継続が困難と判断して前記移動局との通信経路を切断する場合に、無線チャネルの通信品質が所定レベル以下に低下したことを示す品質低下情報、及び当該無線チャネルで通信を行っていた周波数を識別する周波数識別情報を当該移動局に通知する情報通知手段をさらに備えた構成とすることが望ましい。
【００３３】
また、請求項１９に記載したように、無線回線制御装置が、前記移動局が前記品質低下情報及び前記周波数識別情報を記憶するべき所定の基準時間を当該移動局に通知する基準時間通知手段をさらに備えた構成とすることが望ましい。
【００３４】
また、本発明に係る無線回線制御装置は、請求項２０に記載した構成を採ることもできる。即ち、本発明に係る無線回線制御装置は、同一のサービスエリア上に基地局による独立した周波数により構成される無線ゾーンを複数重ね合わせて配置することにより形成される複層無線ゾーンにて、前記基地局が無線チャネルを通して移動局と通信を行う際の接続条件を設定制御する無線回線制御装置であって、移動局と基地局間の通信に使用している無線チャネルの通信品質低下により当該通信の継続が困難と判断して当該移動局との通信経路を切断する際に、当該移動局を識別するための移動局識別番号、無線チャネルの通信品質が所定レベル以下に低下したことを示す品質低下情報、及び当該無線チャネルで通信を行っていた周波数を識別する周波数識別情報を、所定の基準時間記憶する記憶手段と、前記品質低下情報及び前記周波数識別情報を記憶してから前記基準時間内に、移動局から発信要求を受け付けた場合に、当該移動局が、前記記憶手段に記憶された移動局識別番号に相当する移動局と同一か否かを判定する同一判定手段と、当該移動局が、記憶された移動局識別番号に相当する移動局と同一である場合に、前記記憶された品質低下情報及び周波数識別情報に基づいて、当該移動局に対して割り当てる無線チャネルの選択順位を決定する選択順位決定手段と、を備えたことを特徴とする。
【００３５】
このとき前記選択順位決定手段は、請求項２１に記載したように、前記品質低下情報により無線チャネルの通信品質低下が示されている場合、前記周波数識別情報より、通信を行っていた周波数を特定し、前記無線チャネルの選択順位を決定する際に、複層無線ゾーンを構成する複数の周波数のうち当該通信を行っていた周波数に収容される無線チャネルの選択順位を下げる構成とすることが望ましい。
【００３６】
【発明の実施の形態】
以下、図面を参照して本発明に係る実施の形態について説明する。
【００３７】
［第１実施形態］
第１実施形態では、請求項１〜４の移動通信システムに係る発明に関する実施形態を説明する。
【００３８】
図１には、本実施形態における移動通信システム１０の構成例を示す。この図１に示すように、移動通信システム１０は、無線ゾーン１１を構成するための基地局２２Ａと、無線ゾーン１２を構成するための基地局２２Ｂと、制御線２１Ａ、２１Ｂの各々を介して基地局２２Ａ、２２Ｂと接続され、これら基地局２２Ａ、２２Ｂを制御する無線回線制御装置２０と、無線ゾーン１２内に位置する移動局３０とを含んで構成されている。ここで、無線ゾーン１１、１２は、相互に独立した周波数帯域による無線ゾーンであり、同一のサービスエリア上に重ね合わせて配置されている。移動局３０は、無線チャネル２３Ｂで基地局２２Ｂと通信を行っている。一方の無線チャネル２３Ａは、基地局２２Ａにおける無線チャネルの代表チャネルを示しており、待ち受け中の移動局が接続を要求する際に使用される。なお、基地局２２Ａ、２２Ｂは「基地局２２」と総称する。
【００３９】
図２（ａ）には本実施形態における無線回線制御装置２０の構成図を、図２（ｂ）には本実施形態における制御手段２０Ｂの構成図を示す。図２（ａ）に示すように、無線回線制御装置２０は、移動局３０及び基地局２２の情報を記憶するための情報記憶手段２０Ａと、情報記憶手段２０Ａに記憶している情報を基に、基地局２２及び移動局３０に通知する信号の設定等を行う制御手段２０Ｂと、制御手段２０Ｂにより設定された信号等を基地局２２及び移動局３０へ送出するとともに基地局２２及び移動局３０からの信号を受信する通信手段２０Ｃとを含んで構成されている。
【００４０】
このうち制御手段２０Ｂは、図２（ｂ）に示すように、移動局３０と基地局２２間の呼接続時に当該移動局３０に割り当てられた無線チャネルの通信品質低下により接続が困難と判断して接続を中止する場合、及び移動局３０と基地局２２間の通信に使用している無線チャネルの通信品質低下により当該通信の継続が困難と判断して移動局３０との通信経路を切断する場合に、無線チャネルの通信品質が所定レベル以下に低下したことを示す通信品質低下情報、及び当該無線チャネルで通信を行っていた周波数帯域を識別する周波数帯域識別情報を移動局３０に通知する情報通知部２０２と、移動局３０からの発信要求信号に付加された通信品質低下情報及び周波数帯域識別情報に基づいて、当該移動局３０に対して割り当てる無線チャネルの選択順位を決定する選択順位決定部２０１と、移動局３０が通信品質低下情報及び周波数帯域識別情報を記憶するべき所定の基準時間を当該移動局３０に通知する基準時間通知部２０３とを含んで構成されている。
【００４１】
図３（ａ）には本実施形態における移動局３０の構成図を、図３（ｂ）には本実施形態における制御手段３０Ｂの構成図を示す。図３（ａ）に示すように、移動局３０は、自局（移動局３０）及び基地局２２の情報を記憶するための情報記憶手段３０Ａと、情報記憶手段３０Ａに記憶している情報を基に、基地局２２に通知する信号の設定等を行う制御手段３０Ｂと、制御手段３０Ｂにより設定された信号等を基地局２２へ送出するとともに基地局２２からの信号を受信する通信手段３０Ｃと、基地局２２と無線チャネルを介して通信を行うための変復調手段３０Ｄとを含んで構成されている。
【００４２】
このうち制御手段３０Ｂは、図３（ｂ）に示すように、無線チャネルの通信品質が所定レベル以下に低下したか否かを判断する移動局判断部３０１と、無線チャネルの通信品質が所定レベル以下に低下したと判断された場合に、無線チャネルの通信品質が所定レベル以下に低下したことを示す通信品質低下情報、及び当該無線チャネルで通信を行っていた周波数帯域を識別する周波数帯域識別情報を、情報記憶手段３０Ａに所定の基準時間記憶するよう制御する記憶制御部３０２と、通信品質低下情報及び周波数帯域識別情報を記憶してから基準時間内にユーザより発信要求があった場合に、当該通信品質低下情報及び当該周波数帯域識別情報を発信要求信号に付加して無線回線制御装置２０へ通知する通知部３０３と、呼接続時に自局に割り当てられた無線チャネルの通信品質低下により基地局２２との接続が困難と判断した場合に当該接続を中止し、基地局２２との通信に使用している無線チャネルの通信品質低下により当該通信の継続が困難と判断した場合に基地局２２との通信経路を切断するよう制御する通信制御部３０４とを含んで構成されている。なお、情報記憶手段３０Ａと記憶制御部３０２の組合せが本発明に係る移動局の「記憶手段」に相当する。
【００４３】
次に、図４のシーケンスフローを用いて本実施形態の移動通信システム１０における動作を説明する。図４に示すように、無線回線制御装置２０は、移動局３０と基地局２２間の呼接続時に当該移動局３０に割り当てられた無線チャネルの通信品質低下により接続が困難と判断して接続を中止する場合、及び移動局３０と基地局２２間の通信に使用している無線チャネルの通信品質低下により当該通信の継続が困難と判断して当該移動局３０との通信経路を切断する場合に、無線チャネルの通信品質が所定レベル以下に低下したことを示す通信品質低下情報、及び当該無線チャネルで通信を行っていた周波数帯域を識別する周波数帯域識別情報を通知する信号（通信品質情報通知信号）を、基地局２２経由で移動局３０へ送出する（Ｓ４１）。
【００４４】
ここで、通信品質情報通知信号のフォーマット例を図６により説明する。図６に示す通信品質情報通知信号６０は、無線回線制御装置２０が移動局３０に対して切断を検出した際の通信品質低下を示す通信品質低下情報と、当該無線チャネルで通信を行っていた周波数帯域を識別する周波数帯域識別情報に加え、移動局３０においてこれらの情報を記憶すべき所定の基準時間を通知するための信号である。即ち、通信品質情報通知信号６０は、メッセージ種別を示すメッセージ種別情報６１と、切断を検出した際の通信品質低下を示す通信品質低下情報６２と、切断を検出した際の周波数帯域を識別する周波数帯域識別情報６３と、移動局３０が本信号を受信してから上記の情報６１〜６３を記憶保持すべき基準時間（記憶保持時間）６４とを含んで構成されている。ここで、記憶保持時間６４を、無線回線制御装置２０から通知して変更可能に構成することにより、サービスエリアの構成に応じて無線回線制御装置２０が当該記憶保持時間６４を柔軟に変更可能となるという利点がある。ただし、記憶保持時間６４については、上記例のように無線回線制御装置２０から通知することに限定されるものではなく、予め移動局３０で設定しておいてもよい。
【００４５】
このような通信品質情報通知信号６０を受信した移動局３０は、基地局２２との通信の切断処理を行い（Ｓ４２）、上記の通信品質低下情報６２及び周波数帯域識別情報６３を情報記憶手段３０Ａに所定の基準時間記憶する（Ｓ４３）。
【００４６】
そして、移動局３０は、上記基準時間内にユーザによる発信要求を検出すると（Ｓ４４）、基地局２２を経由して、発信を要求する信号（発信信号）を、通信品質低下情報及び周波数帯域識別情報を報告する信号（通信品質情報報告信号）とともに無線回線制御装置２０へ送出する（Ｓ４５）。
【００４７】
ここで、通信品質情報報告信号のフォーマット例を図７により説明する。図７に示す通信品質情報報告信号７０は、移動局３０が無線回線制御装置２０に対して、切断を検出した際の通信品質低下を示す通信品質低下情報と周波数帯域を識別する周波数帯域識別情報とを報告する信号である。即ち、通信品質情報報告信号７０は、メッセージ種別を示すメッセージ種別情報７１と、無線回線制御装置２０が送信元の移動局を識別するための移動局番号７２と、切断を検出した際の通信品質低下を示す通信品質低下情報７３と、切断を検出した際の周波数帯域を識別する周波数帯域識別情報７４とを含んで構成されている。
【００４８】
このような通信品質情報報告信号７０及び発信信号を受信した無線回線制御装置２０は、当該通信品質情報報告信号７０から得られた情報を基に無線チャネルの選択を行う（Ｓ４６）。このとき無線回線制御装置２０は、移動局３０が報告した通信品質低下情報７３及び周波数帯域識別情報７４を基に、当該移動局３０に対して割り当てる無線チャネルを選択する際、当該周波数帯域に収容される無線チャネルの優先順位を下げる。これにより、当該移動局３０において連続して呼損となる確率を低減させることができ、サービス品質の向上を図ることができる。
【００４９】
ここで、上記シーケンスでの移動局３０の処理動作につき図８のフローチャートに基づき補足説明する。移動局３０においては、まず、無線回線制御装置２０からの通信品質情報通知信号６０により通信の切断を検出すると（Ｓ８１）、当該信号６０内の通信品質低下情報６２と周波数帯域識別情報６３とを情報記憶手段３０Ａに記憶し（Ｓ８２）、当該信号６０内の記憶保持時間６４を設定したタイマを起動する（Ｓ８３）。
【００５０】
そして、移動局３０がユーザによる発信の要求を受け付けると（Ｓ８４）、上記のタイマのタイムアウトを検出済みか否かを判定する（Ｓ８５）。このとき、未だタイムアウトを検出していなければ、Ｓ８６へ進み、図４のＳ４５のように、発信を要求する信号（発信信号）を、通信品質低下情報及び周波数帯域識別情報を報告する信号（通信品質情報報告信号）とともに無線回線制御装置２０へ送出する。
【００５１】
なお、通信品質低下情報６２と周波数帯域識別情報６３の記憶開始から記憶保持時間６４が既に経過し、Ｓ８５でタイムアウト検出済みと判定された場合は、通信品質情報報告信号は送出せず、発信信号のみを無線回線制御装置２０へ送出する（Ｓ８７）。
【００５２】
以上説明した第１実施形態によれば、無線回線制御装置２０では、当該移動局３０に対して割り当てる無線チャネルを選択する際、移動局３０が報告した通信品質低下情報と周波数帯域識別情報を基に、当該周波数帯域に収容される無線チャネルの優先順位を下げることにより、当該移動局３０において連続して呼損となる確率を低減させることが可能となり、サービス品質の向上を図ることができる。
【００５３】
［第２実施形態］
第２実施形態では、請求項５の移動通信システムに係る発明に関する実施形態を説明する。本実施形態における移動通信システムの構成は前述した図１の構成と同様であり、無線回線制御装置、移動局の全体構成も図２（ａ）、図３（ａ）の各構成と同様であるので、説明を省略する。
【００５４】
第２実施形態における無線回線制御装置２０では、制御手段２０Ｂが図２（ｃ）に示す特有の構成を備えている。即ち、図２（ｃ）に示すように、制御手段２０Ｂは、移動局３０と基地局２２間の通信に使用している無線チャネルの通信品質低下により当該通信の継続が困難と判断して当該移動局３０との通信経路を切断する際に、当該移動局３０を識別するための移動局識別番号、上記通信品質低下情報及び上記周波数帯域識別情報を、情報記憶手段２０Ａに所定の基準時間記憶するよう制御する記憶制御部２０４と、通信品質低下情報及び周波数帯域識別情報を記憶してから基準時間内に、移動局３０から発信要求を受け付けた場合に、当該移動局３０が、情報記憶手段２０Ａに記憶された移動局識別番号に相当する移動局と同一か否かを判定する同一判定部２０５と、当該移動局３０が、記憶された移動局識別番号に相当する移動局と同一である場合に、記憶された通信品質低下情報及び周波数帯域識別情報に基づいて、当該移動局３０に対して割り当てる無線チャネルの選択順位を決定する選択順位決定部２０６とを含んで構成されている。なお、情報記憶手段２０Ａと記憶制御部２０４の組合せが本発明に係る無線回線制御装置の「記憶手段」に相当する。
【００５５】
次に、図５のシーケンスフローを用いて本実施形態の移動通信システム１０における動作を説明する。図５に示すように、無線回線制御装置２０は、移動局３０と基地局２２間の通信に使用している無線チャネルの通信品質低下により当該通信の継続が困難と判断して当該通信の切断を検出すると（Ｓ５１）、基地局２２を経由して当該移動局３０へ解放信号を送出する（Ｓ５２）。また、無線回線制御装置２０は、当該移動局３０を識別するための移動局番号情報、使用していた無線チャネルの通信品質が所定レベル以下に低下したことを示す通信品質低下情報、及び当該無線チャネルで通信を行っていた周波数帯域を識別する周波数帯域識別情報を、情報記憶手段２０Ａに所定の基準時間記憶する（Ｓ５３）。
【００５６】
その後、移動局３０は、ユーザによる発信要求を検出すると（Ｓ５４）、基地局２２を経由して、発信を要求する信号（発信信号）を無線回線制御装置２０へ送出する（Ｓ５５）。
【００５７】
そして、発信信号を受信した無線回線制御装置２０は、当該発信信号から得られる移動局３０の情報と前記記憶した移動局番号情報とを照合することで、当該発信信号を送出した移動局３０が前記記憶内容の移動局と同一かどうかを判定し、同一移動局であった場合に、記憶された通信品質低下情報及び周波数帯域識別情報を読み出して、これら通信品質低下情報及び周波数帯域識別情報を基に無線チャネルの選択を行う（Ｓ５６）。
【００５８】
このとき無線回線制御装置２０は、特定した移動局３０に関する通信品質低下情報及び周波数帯域識別情報を基に、当該移動局３０に対して割り当てる無線チャネルを選択する際、当該周波数帯域に収容される無線チャネルの優先順位を下げる。
【００５９】
これにより、上記の第２実施形態においても、移動局３０において連続して呼損となる確率を低減させることができ、サービス品質の向上を図ることができる。
【００６０】
上記の第１、第２実施形態では、本発明における「周波数」が、所定の帯域幅を持つ周波数帯域を意味する場合について説明したが、本発明は、「周波数」が特定の周波数である場合にも適用可能であり、同様の作用・効果を奏する。
【００６１】
【発明の効果】
以上説明したように、本発明によれば、品質低下情報及び周波数識別情報に基づく無線チャネルの選択順位決定を行うことで、複層無線ゾーンにおいて、移動局と基地局が接続時や通信中に、干渉等の通信品質の低下を理由として通信に使用している無線チャネルの解放処理が行われた後、一定時間内に当該移動局において再発呼が行われた場合に、当該移動局に対して割り当てる無線チャネルを選択する際、解放された無線チャネルが収容されている周波数の優先順位を下げる等の制御により、通信品質の低下した無線チャネルを再び割り当てる可能性が低くなり、当該移動局が連続して呼損となる確率を小さくすることが可能となる。これにより、特定ユーザが連続して呼損となる確率を低減することができ、サービス品質の向上を図ることができる。
【図面の簡単な説明】
【図１】第１、第２実施形態における移動通信システムの構成図である。
【図２】（ａ）は第１、第２実施形態における無線回線制御装置の構成図であり、（ｂ）は第１実施形態における制御手段の構成図であり、（ｃ）は第２実施形態における制御手段の構成図である。
【図３】（ａ）は第１、第２実施形態における移動局の構成図であり、（ｂ）は第１実施形態における制御手段の構成図である。
【図４】第１実施形態の移動通信システムにおける動作を説明するためのシーケンスフローである。
【図５】第２実施形態の移動通信システムにおける動作を説明するためのシーケンスフローである。
【図６】通信品質情報通知信号のフォーマット例を示す図である。
【図７】通信品質情報報告信号のフォーマット例を示す図である。
【図８】第１実施形態における移動局の処理動作を示す流れ図である。
【符号の説明】
１０…移動通信システム、１１、１２…無線ゾーン、２０…無線回線制御装置、２０Ａ…情報記憶手段、２０Ｂ…制御手段、２０Ｃ…通信手段、２１Ａ、２１Ｂ…制御線、２２、２２Ａ、２２Ｂ…基地局、２３Ａ、２３Ｂ…無線チャネル、３０…移動局、３０Ａ…情報記憶手段、３０Ｂ…制御手段、３０Ｃ…通信手段、３０Ｄ…変復調手段、６０…通信品質情報通知信号、６１…メッセージ種別情報、６２…通信品質低下情報、６３…周波数帯域識別情報、６４…記憶保持時間、７０…通信品質情報報告信号、７１…メッセージ種別情報、７２…移動局番号、７３…通信品質低下情報、７４…周波数帯域識別情報、２０１…選択順位決定部、２０２…情報通知部、２０３…基準時間通知部、２０４…記憶制御部、２０５…同一判定部、２０６…選択順位決定部、３０１…移動局判断部、３０２…記憶制御部、３０３…通知部、３０４…通信制御部。
【図１】
0003592314.tif 000002
【図２】
0003592314.tif 000003
【図３】
0003592314.tif 000004
【図４】
0003592314.tif 000005
【図５】
0003592314.tif 000006
【図６】
0003592314.tif 000007
【図７】
0003592314.tif 000008
【図８】
0003592314.tif 000009